(57)【要約】【課題】セキュリティキーの管理が容易になる新たなセキュリティ手段を提供する。【解決手段】本発明のセキュリティキーは、コンプレッサを施錠/解錠するための電子キーであって、該コンプレッサのユーザの任意の所持品に貼付可能なシールタグで構成される。このシールタグは、コンプレッサによって読取可能な固有の識別情報が記録されたＩＣチップを具備する。このようにセキュリティキーをシールタグで構成することで、ユーザのあらゆる所持品に自由に貼り付けることが可能になる。その結果、個々のユーザは、携帯意識の高い物品（携帯電話や免許証など）にセキュリティキーを付加させることができるようになる。したがって本発明によって、ユーザは自己が望ましいと思う物品（ユーザの携帯意識の強い物品）に鍵の機能を後付的に付け加えることが可能になり、その結果今まで常識であった「鍵という独立した物品を所持する」という概念を無くすことができる。【選択図】図１
2014214425.tif 000002
【特許請求の範囲】
【請求項１】
エアーコンプレッサのセキュリティをON/OFFするためのセキュリティキーであって、
前記コンプレッサのユーザの任意の所持品に貼付可能なシールタイプの非接触ＩＣタグで構成され、
前記コンプレッサによって読み取り可能な固有の識別情報が記録されるようになっているＩＣチップを具備する、エアーコンプレッサのセキュリティキー。
【請求項２】
請求項１に記載のセキュリティキーをなすシールタイプの非接触ＩＣタグを複数具備し、それぞれに固有の識別情報が記録された、セキュリティキーのシールセット。
【請求項３】
請求項１に記載のセキュリティキーと近距離無線通信を行う通信手段を具備し、
その通信結果に基づいてセキュリティのON/OFFを実行するセキュリティ管理装置を有する、エアーコンプレッサ。
【請求項４】
請求項１に記載のセキュリティキーの識別情報を、請求項３に記載のエアーコンプレッサのセキュリティ管理装置に登録するステップと、
前記セキュリティキーをなす非接触ＩＣタグをユーザの任意の所持品に貼り付けるステップと、を含むことを特徴とするエアーコンプレッサ管理方法。
【請求項５】
請求項１に記載のセキュリティキーの識別情報を、複数台用意された請求項３に記載のエアーコンプレッサの各セキュリティ管理装置に個別に登録するステップと、
前記セキュリティキーをなす非接触ＩＣタグをユーザの任意の所持品に貼り付けるステップと、を含むことを特徴とするエアーコンプレッサ管理方法。
【請求項６】
請求項１に記載のセキュリティキーに識別情報を書き込むとともに、請求項３に記載のエアーコンプレッサのセキュリティ管理装置に該識別情報を登録するステップと、
前記セキュリティキーをなす非接触ＩＣタグをユーザの任意の所持品に貼り付けるステップと、を含むことを特徴とするエアーコンプレッサ管理方法。
【請求項７】
請求項１に記載のセキュリティキーに識別情報を書き込むとともに、複数台用意された請求項３に記載のエアーコンプレッサの各セキュリティ管理装置に前記識別情報を個別に登録するステップと、
前記セキュリティキーをなす非接触ＩＣタグをユーザの任意の所持品に貼り付けるステップと、を含むことを特徴とするエアーコンプレッサ管理方法。
【請求項８】
エアーコンプレッサに対しセキュリティのON/OFFを要求するステップと、
ユーザの所持品に貼付した状態の前記セキュリティキーと前記セキュリティ管理装置との間で近距離無線通信を行って、該セキュリティキーの識別情報を読み取るステップと、
読み取った前記識別情報がエアーコンプレッサ側に登録されている場合に、要求されたセキュリティのON/OFFを実行するステップと、
を含むことを特徴とする請求項４乃至７のいずれかに記載のエアーコンプレッサ管理方法。
【請求項９】
エアーコンプレッサに登録済みの前記セキュリティキーの機能を無効化させる場合に、該セキュリティキーの識別情報の登録を解除する、ことを特徴とする請求項４乃至７のいずれかに記載のエアーコンプレッサ管理方法。
【発明の詳細な説明】
【技術分野】
【０００１】
本発明は、エアーコンプレッサのセキュリティ管理（主として施錠や解錠など）に用いられるセキュリティキーと、これを用いたエアーコンプレッサ管理方法の技術分野に属する。
【背景技術】
【０００２】
圧縮エアーを生成する装置としてエアーコンプレッサが一般的に知られており、工事現場などでの釘打ち作業に用いられている。
【０００３】
例えば特許文献１に開示されたエアーコンプレッサは、圧縮エアーを生成する圧縮装置と、その圧縮エアーを貯留するエアータンクとで構成されている。圧縮装置は、カバーに覆われた状態でエアータンクの上に載置固定されている。圧縮装置を支えるエアータンクは、一般的に２本のボンベからなり、並列状態で配置されている。
【０００４】
この種のエアーコンプレッサの多くは可搬型の機器として構成されており、持ち運び用の手持ちハンドルを具備しているなど、持ち運び易さがある程度考慮された設計となっている。そして、このようなエアーコンプレッサは、その高い機能性のために、釘打ち作業などを要する工事現場や建設現場で広く一般的に用いられている。
【先行技術文献】
【特許文献】
【０００５】
【特許文献１】特開２０１０−０９６１４１号公報
【発明の概要】
【発明が解決しようとする課題】
【０００６】
上述したように、エアーコンプレッサは、釘打ち作業などを要する現場で広く一般的に用いているが、このような工事現場や建設現場の多くはセキュリティが緩く、工事関係者以外の者（例えば窃盗目的の者や不審者）でも比較的容易に出入りできる場合が多い。そのため、持ち運び易くて高価格の作業機器である可搬型のエアーコンプレッサは、窃盗者から特に目を付けられ易く、転売目的での盗難が後を絶たないといった問題があり、これまでに数多くの盗難被害が報告されている。（「持ち運び易い」「高価格」という特徴を備えているため、他の工具類や機器などに比べて盗難に遭う確率が著しく高い。）特に、昼休みなどの休憩中や夜間に現場に放置したままにすると、現場周囲のひと気が少なくなることが多いため、盗難確率が極めて高くなるといった問題がある。
【０００７】
なお、エアーコンプレッサは持ち運び易さがある程度考慮されているものの、一般的なものでも16kg〜20kg程度の重量があるため、休憩時間などではそのまま放置されることが多い。すなわち、現場から離れるたびにエアーコンプレッサを倉庫や移動車両に持ち運んで保管するのは、極めて煩雑で且つ重労働であるため、通常、休憩などで作業者が一時的に現場を離れる場合であっても、そのまま現場に放置されることが多い。また、作業者によっては、作業終了後の持ち帰りが面倒となり、そのまま翌日までひと気のない現場に放置されることもある。
【０００８】
そのため、作業現場で特に盗難に遭いやすいエアーコンプレッサの盗難防止対策として、エアーコンプレッサに、鍵により解除可能なロック機構（物理的な鍵を挿し込んで解錠した場合にのみコンプレッサを稼働できるようにする機構）を装着して、鍵を持たない者による機器の持ち去り・盗難を抑制することが検討された。
【０００９】
しかしながら、このようなセキュリティ手段では、持ち去った後にロック機構を取り外せば容易にコンプレッサを稼働させることが可能になるため、盗難抑止効果はほとんど期待できないといった問題がある。
【００１０】
また、この種の鍵（エアーコンプレッサの鍵）は、携帯電話やその他の貴重品などに比べると携帯意識が遥かに低いため、自宅に忘れたり会社や移動車両に置き忘れたりして不携帯となることが多い。そのような場合、作業現場でエアーコンプレッサを使用できなくなり、釘打ち作業などの中止を余儀なくされるといった致命的な問題が生じる。
【００１１】
さらに、少数の鍵を複数の作業者で使いまわす場合には、その管理は著しく煩雑となり、しかも、作業者の数が多くなれば、鍵の管理が適当となり易く、紛失の危険性が極めて高くなる。
【００１２】
さらに、鍵を紛失した場合、通常その場では対応できず、販売店やメーカに対して鍵の再発行を依頼しなければならない。そのような鍵の再発行は一般的には数日から数週間を要するため、鍵が手元に届くまで、作業を中止するか、或いは、代替機器を用意しなければならなくなるといった問題がある。
【００１３】
なお、このような鍵付きエアーコンプレッサには、はじめからスペア鍵を含めて複数個の鍵が付属している。また、エアーコンプレッサの購入後に、紛失に備えてスペアの鍵を複数作製することも可能である。したがって、そのようなスペア鍵を、あらかじめ複数の作業者（エアーコンプレッサ使用予定者）に貸与しておくことで、いずれかの者が鍵を紛失又は置き忘れた場合でも、速やかに作業を開始できるようにしておくことも可能である。
【００１４】
しかしながら、複数の作業者のそれぞれに対し鍵を貸与したままにする場合、その管理は極めて煩雑となるばかりか、エアーコンプレッサのセキュリティの弱体化を招くことになる。
例えば、いずれかの作業者が鍵を紛失した場合において、その紛失の事態を放置しておけば、エアーコンプレッサは盗難の危険性に曝されることになる（その鍵を拾得した者による持ち去りの危険性）。
また例えば、いずれかの作業者が退職した場合において、鍵の回収を怠ると、エアーコンプレッサは盗難の危険性に曝されることになる（その退職者による持ち去りの危険性）。
また例えば、いずれかの作業者がスペア鍵を際限なく複製し、他人に供与する可能性も否定できず、その場合には、管理者にとって鍵の所持者を漏れなく把握することが困難となり、もはやセキュリティとしての機能を失っているといえる。
【００１５】
したがって、上述したような鍵付きエアーコンプレッサは、盗難抑止効果に乏しく、鍵の紛失を招き易く、置き忘れが生じ易いという問題がある上に、その鍵自体の管理が著しく煩雑で、エアーコンプレッサのセキュリティの弱体化を招くという問題がある。
【００１６】
そこで、上述した問題点に鑑み、本発明の目的は、作業現場で特に盗難され易いエアーコンプレッサについて、高度のセキュリティ管理を簡単かつ確実に行うことができ、且つ、エアーコンプレッサの盗難抑止効果を飛躍的に高めることができるとともに、セキュリティキーの管理が容易になる、新たなセキュリティ手段を提供することにある。
【課題を解決するための手段】
【００１７】
このような目的は、エアーコンプレッサのセキュリティをON/OFFするためのセキュリティキーであって、前記コンプレッサのユーザの任意の所持品に貼付可能なシールタイプの非接触ＩＣタグで構成され、前記コンプレッサによって読み取り可能な固有の識別情報が記録されるようになっているＩＣチップを具備する、エアーコンプレッサのセキュリティキーによって達成される。
このセキュリティキーは、一つのキーで一台又は複数台のエアーコンプレッサのON/OFF操作を行うことができる。
なお、本発明において「コンプレッサによって読み取り可能な固有の識別情報」とは、例えば、当該非接触ＩＣタグの製造時に割り当てられ記録された固有のＩＤコードであってもよく、或いは、コンプレッサによって当該非接触ＩＣタグに書き込まれる固有の鍵情報であってもよい。すなわち、本発明でいう識別情報には、当該非接触ＩＣタグを識別できるような固有情報がすべて含まれる。
【００１８】
また上記目的は、上述したセキュリティキーをなすシールタイプの非接触ＩＣタグを複数具備し、それぞれに固有の識別情報が記録された、セキュリティキーのシールセットによって達成される。
【００１９】
また上記目的は、上述したセキュリティキーと近距離無線通信を行う通信手段を具備し、その通信結果に基づいてセキュリティのON/OFFを実行するセキュリティ管理装置を有する、エアーコンプレッサによって達成される。このエアーコンプレッサには、本発明のセキュリティキーを一つのみならず複数登録することができる。
【００２０】
また上記目的は、セキュリティキーの識別情報（例えば固有のＩＤコード）を、エアーコンプレッサのセキュリティ管理装置に登録するステップと、前記セキュリティキーをなす非接触ＩＣタグをユーザの任意の所持品に貼り付けるステップと、を含むエアーコンプレッサ管理方法によって達成される。
或いは、上記セキュリティキーに識別情報（例えば固有の鍵情報）を書き込むとともに、エアーコンプレッサのセキュリティ管理装置に該識別情報を登録するステップと、前記セキュリティキーをなす非接触ＩＣタグをユーザの任意の所持品に貼り付けるステップと、を含むエアーコンプレッサ管理方法によって達成される。
【００２１】
また上記目的は、セキュリティキーの識別情報（例えば固有のＩＤコード）を、複数台用意されたエアーコンプレッサの各セキュリティ管理装置に個別に登録するステップと、前記セキュリティキーをなす非接触ＩＣタグをユーザの任意の所持品に貼り付けるステップと、を含むエアーコンプレッサ管理方法によって達成される。
或いは、上記セキュリティキーに識別情報（例えば固有の鍵情報）を書き込むとともに、複数台用意されたエアーコンプレッサの各セキュリティ管理装置に前記識別情報を個別に登録するステップと、前記セキュリティキーをなす非接触ＩＣタグをユーザの任意の所持品に貼り付けるステップと、を含むエアーコンプレッサ管理方法によって達成される。
このように、一つのセキュリティキーの識別情報を、複数台のエアーコンプレッサに登録することで、図４に示すように、一つのキーで複数台のエアーコンプレッサを使い分けることができる。また、複数台のエアーコンプレッサのそれぞれに対応する複数の鍵を持つ必要がなくなるので、従来のような煩わしい鍵の管理が不要となる。
【００２２】
この管理方法でのセキュリティ解除の操作には、
エアーコンプレッサ（複数台ある場合には任意のコンプレッサ）に対しセキュリティのON/OFFを要求するステップと、
ユーザの所持品に貼付した状態の前記セキュリティキーと前記セキュリティ管理装置との間で近距離無線通信を行って、該セキュリティキーの識別情報を読み取るステップと、
読み取った前記識別情報がエアーコンプレッサ側に登録されている場合に、要求されたセキュリティのON/OFFを実行するステップと、が含まれる。
【００２３】
この方法において、エアーコンプレッサに登録済みの前記セキュリティキーの機能を無効化させる場合には、コンプレッサ側で該セキュリティキーの識別情報の登録を解除するようになっている。
【発明の効果】
【００２４】
本発明のセキュリティキーは、エアーコンプレッサのセキュリティをON/OFF（施錠/解錠）するための電子キーであって、該コンプレッサのユーザの任意の所持品に貼付した状態で用いられるシールタイプの超小型非接触ＩＣタグで構成されている。ここでいう所持品（非接触ＩＣタグの貼り付け対象）は特に限定されず、ユーザが所持するあらゆる物品が対象となるが、好ましくは、携帯電話、免許証、腕時計、財布、装身具など、個々のユーザの日常生活において携帯意識が高く、置き忘れや紛失の可能性の低いものが望ましい。そして、非接触ＩＣタグを貼り付ける所持品は、個々のユーザの判断で任意に決定できる。つまり、ユーザが望ましいと思う任意の物品に対して、セキュリティキーを自由に貼り付けることができる。
【００２５】
上述したように、セキュリティキーを非接触ＩＣタグで構成することで、キーそのものを大幅に小型化（微細化）できる。そして小型化してシール状に構成することで、ユーザのあらゆる所持品に自由に貼り付けることが可能になる。その結果、個々のユーザは、自己の判断で、携帯意識の高い物品（例えば携帯電話、免許証、財布など）にセキュリティキーを付加させることができるようになる。したがって本発明によって、ユーザは自己が望ましいと思う物品（ユーザの携帯意識の強い物品）に鍵の機能を後付的に付け加えることが可能になり、その結果、今まで常識であった「鍵という独立した物品を所持する」という概念を無くすことができる。よって本発明によれば、通常の差し込み式の鍵やカードキーなどと比べると、キーの紛失・置き忘れ・不携帯の可能性は限りなく低くなるといった格別の効果が達成される。
【００２６】
また本発明のように、セキュリティキーを非接触ＩＣタグで構成することで、セキュリティキーを割り当てられた作業者が、当該キーを無断複製するといった事態を防止し易くなる。
【００２７】
また、このようなセキュリティキーをなす非接触ＩＣタグを複数具備するシールセットを提供することで、コンプレッサの使用希望者に対して、必要な数のセキュリティキーを必要なときに簡単かつ速やかに発行できるようになる。
【００２８】
また本発明のエアーコンプレッサ管理方法では、非接触ＩＣタグの識別情報をエアーコンプレッサのセキュリティ管理装置に登録するだけで、該非接触ＩＣタグがセキュリティキーとして機能するようになるので、スペアキーの作製が簡単であり、必要なときに必要な数だけ簡単にスペアキーを用意できる。
【００２９】
また、本発明によれば、図３に示すように１台のエアーコンプレッサを複数のユーザで使用する場合に、それぞれの使用者に対して、簡単にセキュリティキーを割り当てることが可能になる。その結果、従来のように作業者間で同じ鍵を使いまわすことがないので、それに起因するセキュリティの弱体化を防止できる。
【００３０】
また本発明によれば、図４に示すように、一つの非接触ＩＣタグを、複数台のエアーコンプレッサのセキュリティキーとして利用することもできる。これにより、複数台のエアーコンプレッサを使い分ける場合であっても、一つのセキュリティキーでON/OFF操作ができ、複数の鍵を所持する必要がないので、セキュリティキーの管理が容易になる。また複数台のエアーコンプレッサを使い分ける場合に、似通った複数の鍵のなかから該当する鍵を見つけ出す必要がなくなるので、セキュリティのON/OFF操作を迅速に完了できる。
【００３１】
また本発明では、セキュリティキーの識別情報をエアーコンプレッサに登録するようになっており、これにより、エアーコンプレッサのセキュリティを一元管理できる。すなわち、エアーコンプレッサに登録済みの有効なセキュリティキーの識別情報や数を把握できるので、セキュリティキーの管理が一元化され容易になる。
【００３２】
また本発明では、識別情報がエアーコンプレッサ側に登録されているセキュリティキーに限って、当該コンプレッサのセキュリティを解除したり再設定できるように構成されている。したがって、従来より用いられてきた一般的なエアーコンプレッサに比べて、盗難抑止効果を飛躍的に高めることができる。
【００３３】
また本発明では、エアーコンプレッサ側においてセキュリティキーの登録を解除することで、そのセキュリティキーとしての機能を無効化させることができる。このような特徴によれば、使用者が自己のセキュリティキーを紛失したり、或いは退職などした場合には、簡単な操作で、該当するセキュリティキーの無効化を行うことができる。またこのような登録解除を行う場合に、セキュリティキーをわざわざ回収する必要がないので、セキュリティキーの管理が簡単である。
【００３４】
また本発明によれば、多数の作業者のそれぞれに個別にセキュリティキーを割り当てた場合であっても、セキュリティキーを誰に割り当てたかを何時でも簡単に確認でき、また、必要に応じてセキュリティキーの一部又は全部を無効化（登録解除）できるので、エアーコンプレッサのセキュリティが弱体化する虞はない。
【図面の簡単な説明】
【００３５】
【図１】本発明のセキュリティキー（シールタグ）を利用したエアーコンプレッサ管理システムの概略構成を示す図である。
【図２】本発明のセキュリティキーの実施形態を例示する図である。
【図３】本発明のセキュリティキーを複数のユーザに割り当て、１台のエアーコンプレッサを複数のユーザで使いまわす態様について例示する図である。
【図４】本発明のセキュリティキーを用いて、複数台のエアーコンプレッサを使い分ける態様について例示する図である。
【図５】セキュリティキーをなすシールタグの識別情報をコンプレッサ側に登録する際の処理例を示すフローチャートである。
【図６】セキュリティキーをなすシールタグの識別情報をコンプレッサ側に登録する際の処理例を示すフローチャートである（変形例）。
【図７】ユーザがエアーコンプレッサを使用開始するにあたってセキュリティ解除（セキュリティOFF）するときの処理例を示すフローチャートである。
【図８】セキュリティ解除されたエアーコンプレッサのセキュリティを再設定（セキュリティON）する際の処理例を示すフローチャートである。
【図９】セキュリティキーを無効化（登録解除）する際の処理例を示すフローチャートである。
【発明を実施するための形態】
【００３６】
（システム構成の概要）
図１に、本発明のセキュリティキーを利用したエアーコンプレッサ管理システムの概略構成を示す。
【００３７】
この管理システムは、圧縮エアーを生成するエアーコンプレッサ（以下「コンプレッサ」と略称する。）と、該コンプレッサのセキュリティをON/OFFするためのシールタイプの非接触ＩＣタグを含んで構成される。セキュリティの「ON」とは、コンプレッサの圧縮装置が駆動できないように電子的に施錠すること、又はそのように施錠された状態をいう。セキュリティの「OFF」とは、エアーコンプレッサの圧縮装置が駆動できるように解錠すること、又はそのように解錠された状態をいう。
【００３８】
コンプレッサは、図１に示すように、圧縮エアーを生成する圧縮装置のほか、コンプレッサのセキュリティ制御やセキュリティ管理を担うセキュリティ管理装置を有している。このセキュリティ管理装置には、セキュリティキーをなす非接触ＩＣタグと近距離無線通信するためのＮＦＣモジュール（通信手段）が設けられている。
【００３９】
シールタイプの非接触ＩＣタグ（以下「シールタグ」と略称する。）は、コンプレッサのセキュリティをON/OFFするためのセキュリティキーとして機能する。このシールタグは、固有のＩＤコードである識別情報が記録されたＩＣチップを具備し、コンプレッサのユーザの所持品（携帯電話など）に貼り付けた状態で利用される。
【００４０】
以下、コンプレッサとセキュリティキーの詳細について説明する。
【００４１】
（コンプレッサ）
コンプレッサは圧縮エアーを生成するための機器であって、主として、圧縮エアー生成の役割を担う圧縮装置と、該圧縮装置のセキュリティ制御やセキュリティ管理などを担うセキュリティ管理装置を具備している。
【００４２】
コンプレッサの圧縮装置は、圧縮エアー生成用のピストンを駆動するためのモータと、該モータを制御するとともに、セキュリティ管理装置側ＭＣＵとの間で制御信号の送受信などを行う制御手段であるＭＣＵを有している。
【００４３】
コンプレッサのセキュリティ管理装置は、各種ガイダンスやセキュリティ情報などを表示する情報表示部と、Ｉ／Ｏ手段としてのスイッチやＬＥＤと、シールタグと近距離無線通信を行うためのＮＦＣモジュール（通信手段）と、上記各部を制御するＭＣＵなどを有している。コンプレッサ側の情報表示部の具体例としては、例えば、７セグメントディスプレイ、ＬＥＤ、液晶ディスプレイ、有機ＥＬディスプレイなどが挙げられる。Ｉ／Ｏ手段はスイッチやＬＥＤに限定されず、入力用のタッチパネルや、警告音を出力するためのスピーカーなど、他のＩ／Ｏ手段を採用することも可能である。
【００４４】
ＮＦＣモジュール（Near Field Communication Module）は、シールタグと近距離無線通信を行うための通信手段であって、シールタグのＩＣチップに対するリーダ/ライタとして機能する。このＮＦＣモジュールは、シールタグとの間で近距離無線通信を行うためのアンテナと、シールタグに対する情報の読み出しや書き込みの指示を送信するコントローラなどを具備している。
【００４５】
情報表示部には、数字やアルファベットなどを表示することができ、機器の状態や操作状況に応じて、各種ガイダンスやセキュリティ情報などを簡易的に表示する。例えば、誤操作や誤作動などに起因するアラームが生じた場合には、「Ｅ１」、「Ｅ２」などのエラーを示す簡易ガイダンスが表示され、機器を熟知したユーザであれば、その簡易表示の内容からアラームの事実と内容を把握することが可能になる。
【００４６】
セキュリティ管理装置のＭＣＵは、各種情報を記録するメモリを具備し、圧縮装置側ＭＣＵとの間で制御信号の送受信を行う。このＭＣＵのメモリには、シールタグのＩＤコードのほか、必要に応じて該シールタグのユーザ名やユーザ番号などが記録される。これらのＩＤコードやそれに対応するユーザ名などは、互いに関連付けた状態でＭＣＵに記録される。このようにＭＣＵにシールタグのＩＤコードを登録させることで、該シールタグをコンプレッサのセキュリティキーとして機能させることが可能になる。
【００４７】
セキュリティ管理装置のＭＣＵの主な役割としては、例えば、シールタグと無線通信した際にセキュリティキーの認証を実行し、その認証に成功した場合に限って、当該機器の施錠や解錠を許可することなどが挙げられる。
【００４８】
上記構成のコンプレッサを稼働させるときには、コンプレッサ側に登録済みのセキュリティキーをセキュリティ管理装置のＮＦＣモジュール近傍にかざす（タッチする又は近づける）。これにより、コンプレッサとシールタグとの間で近距離無線通信が自動的に実行されて該シールタグのＩＤコードが読み出され、セキュリティキーの認証通過後に解錠されて圧縮装置を駆動できるようになる。
【００４９】
（セキュリティキー／シールタグ）
本発明のセキュリティキーは、主としてコンプレッサのセキュリティをON/OFFするための電子キーであって、シールタイプの非接触ＩＣタグ（無線ＩＣタグ）で構成される。このセキュリティキーをなすシールタグは、コンプレッサによって読み取り可能な固有のＩＤコード（他のシールタグと重複しない固有の識別情報／ユニークＩＤ）が記録された微小ＩＣチップと、コンプレッサ側のＮＦＣモジュールと無線通信を行うための微小アンテナを具備している。ＩＣチップに記録されたＩＤコードは、コンプレッサ側のＮＦＣモジュールと無線通信を行う際に読み出されて、該ＮＦＣモジュールへ送信され、セキュリティ管理装置において認証等に利用される。
【００５０】
なお本発明において、セキュリティのON/OFFのために用いられるセキュリティキーの識別情報は特に限定されず、例えば、シールタグの製造時に当該タグに対して割り当てられた固有のＩＤコードを、セキュリティ認証用の識別情報として利用できる。或いは、セキュリティ認証用の識別情報（鍵情報）を、コンプレッサ側からシールタグのＩＣチップに書き込むとともに、該コンプレッサのＭＣＵに登録し、以後この識別情報（鍵情報）をセキュリティ認証に用いることもできる。これらのＩＤコードや鍵情報はすべて、セキュリティ認証用の識別情報の具体例に含まれる。
【００５１】
セキュリティキーとして機能する上記構成のシールタグは、コンプレッサのユーザの携帯電話など、任意の所持品に貼付して用いられる。ここでいう所持品は特に限定されず、ユーザが所持するあらゆる物品が貼り付け対象となるが、好ましくは、携帯電話、スマートフォン、免許証、財布、腕時計、装身具、自宅の鍵など、個々のユーザの日常生活において携帯意識が高く、置き忘れや紛失の可能性の低いものが望ましい。そして、シールタグを貼り付ける所持品は、個々のユーザの判断で自由に決定できる。つまり、ユーザが自分にとって望ましいと思う任意の物品（コンプレッサを使用するときには必ず所持していると想定される物品）に対して、シールタグを自由に貼り付けることができる。なお、ここでいう「ユーザ」とは、コンプレッサの所有者や管理者に限定されず、コンプレッサを作業現場で単に利用するだけの者も含まれる。
【００５２】
このようなシールタグは単体で提供されてもよいが、例えば図２に示すように、複数のシールタグを備えたシールセットの形態で提供されてもよい。また、このようなシールタグは、コンプレッサの販売時に同梱されてもよく、或いは、別ルートでユーザに提供されてもよい。
【００５３】
このシールセットは、個々のシールタグに固有のＩＤコードが割り当てられており、各シールタグが剥離可能に台紙に貼着されている。各シールタグは、裏面に粘着剤が塗布されており、台紙から剥がして、図２右側に示すようにユーザの任意の所持品（図示する例では携帯電話の背面側）に貼り付けることができる。
【００５４】
以下、上記構成のコンプレッサとセキュリティキーを用いたコンプレッサ管理方法について具体的に説明する。
【００５５】
（セキュリティキーのＩＤコードをコンプレッサに登録する際の処理例）
上記構成のシールタグをコンプレッサのセキュリティキーとして利用するためには、はじめに、そのＩＤコードをコンプレッサ側に登録する。以下、図５に基づいて、シールタグのＩＤコードをコンプレッサに登録する際の処理例について説明する。
【００５６】
コンプレッサは、その電源ＯＮと同時に、セキュリティＯＮ状態（圧縮装置が駆動できないように施錠されセキュリティが有効な状態）でスタンバイしている<ステップS101>。そして、コンプレッサのセキュリティ管理装置を、セキュリティキー登録モードにセットすると<S103>、それによってセキュリティキーの登録がセキュリティ管理装置に要求され、次いで、該セキュリティ管理装置がシールタグのＩＤコード要求状態で待機し始める<S105>。
【００５７】
続いて、シールタグをコンプレッサのセキュリティ管理装置のＮＦＣモジュール近傍にかざし（タッチし又は近づけ）、両者間で近距離無線通信を実行させる。この近距離無線通信によって、シールタグのＩＣチップからそのＩＤコードが読み出されると同時に、該ＩＤコードがコンプレッサ側へ無線送信される<S107>。なお、このＩＤコードは当該シールタグに固有の識別情報であって、他のシールタグのものと重複することはない。
【００５８】
続いて、コンプレッサのセキュリティ管理装置は、シリアルナンバーやユーザ番号などの管理コードを発行し<S109>、次いでステップS107で読み込み済みのＩＤコードを、表１に例示するように前記管理コードに関連付けて、セキュリティ管理装置のＭＣＵに記録する<S111>。表１に示すようにＩＤコードと管理コードに関連付けて記録することで、ＩＤコードの登録数が増えてもその管理と把握が容易になる。
【００５９】
【表１】
2014214425.tif 000003
【００６０】
以上の処理を経て、セキュリティキーの登録処理が完了する。登録処理が完了したら、ユーザの任意の所持品（好ましくは、携帯意識が高く、紛失や置き忘れの可能性の低い、携帯電話や免許証などの所持品）に貼り付ける。貼り付け対象の物品は特に限定されず、個々のユーザが望ましいと思う物に自由に貼り付けることができる。
【００６１】
このような登録処理を複数のシールタグに対して繰り返すことで、図３に示すように、一台のコンプレッサに複数のセキュリティキーを登録できる。なお、個々のセキュリティキーにはそれぞれ固有の識別情報（本実施形態ではＩＤコード）が付与されているので、複数のセキュリティキーを登録した場合でも、個別にその登録解除を行うことが可能である。登録解除の手順については後述する。
【００６２】
なお本実施形態では、シールタグのＩＤコードをコンプレッサ側に登録した後に、該シールタグをユーザの所持品に貼り付けるようにしているが、この順序は逆であってもよい。
【００６３】
また図５に例示する実施形態では、一つのシールタグのＩＤコードを一台のコンプレッサに登録する場合について説明したが、前述した構成のコンプレッサを複数台用意し、同様の登録処理をこれらのコンプレッサに対して個別に行って、一つのシールタグを複数台のコンプレッサのセキュリティキーとして利用することも可能である。（なお、複数台のコンプレッサに対して一度に登録処理を行ってもよく、或いは、必要に応じて順次登録台数を増やしていくようにしてもよい。）これにより、図４に示すように、一つのシールタグで複数台のコンプレッサを使い分けることができるので、セキュリティキーの管理が容易になる。
【００６４】
また、上述した実施形態では特に限定していないが、このようなシールタグの登録処理を行える者を一定の者に限定することも可能である。例えば、ステップS103とS105の間に、セキュリティ認証のステップを介在させ、認証を通過した場合にのみ、セキュリティキーを登録できるようにしてもよい。そのような認証処理は、例えば、コンプレッサに同梱される所定識別情報が記録された管理者用非接触ＩＣカード（コンプレッサの管理者専用のセキュリティカード）と、コンプレッサのセキュリティ管理装置との間で行うことができる。
【００６５】
また、図５に示す実施形態では、管理コードをコンプレッサ側で自動生成して、読み込んだＩＤコードに関連付けているが、図６のステップS110に示すようにこのような管理コードをユーザが任意に決定してコンプレッサ側に入力するようにしてもよい。例えば、登録するシールタグのユーザ名を入力し、このユーザ名を管理コードとして、表２に示すようにＩＤコードに関連付けるようにしてもよい。その他、入力可能な管理コードの具体例としては、シリアルナンバーや日付けなどが挙げられる。このように、ユーザが決定した任意の管理コードとＩＤコードとを関連付けて記録することで、ＩＤコードの管理と把握がより一層容易になる。
【００６６】
【表２】
2014214425.tif 000004
【００６７】
また、その他の変形例として、コンプレッサの使用権限に関する情報（権限情報）を入力して、この権限情報をＩＤコードに関連付けてコンプレッサ側に登録するようにしてもよい。そのような権限情報としては、例えば表３に示すように、使用できる回数、時間、期間などが挙げられる。これにより、指定した回数、時間、期間を超えた後は、セキュリティキーとしての機能が自動的に無効となるので、セキュリティキーをわざわざ回収する必要がなくなり、セキュリティ管理がより一層簡単になる。
【００６８】
【表３】
2014214425.tif 000005
【００６９】
（ユーザがコンプレッサを使用開始する際の処理例）
ユーザがコンプレッサを使用するときには、そのセキュリティを解除する必要がある。以下、図７に基づいて、ユーザがコンプレッサを使用開始する際のセキュリティ解除処理例について説明する。
【００７０】
コンプレッサは、その電源ＯＮと同時に、セキュリティＯＮ状態（圧縮装置が駆動できないように施錠されセキュリティが有効な状態）でスタンバイしている<ステップS201,S203>。そして、コンプレッサのセキュリティ管理装置を、セキュリティ解除モードにセットすると<S205>、それによってセキュリティ解除がセキュリティ管理装置に要求され、次いで、該セキュリティ管理装置がシールタグのＩＤコード要求状態で待機し始める<S207>。
【００７１】
続いて、シールタグをコンプレッサのセキュリティ管理装置のＮＦＣモジュール近傍にかざし（タッチし又は近づけ）、両者間で近距離無線通信を実行させる。この近距離無線通信によって、シールタグのＩＣチップからそのＩＤコードが読み出されると同時に、該ＩＤコードがコンプレッサ側へ無線送信される<S209>。
【００７２】
続いてコンプレッサのセキュリティ管理装置は、読み取ったＩＤコードに対して認証を実行する。この認証処理では、今回通信を行ったシールタグのＩＤコードがコンプレッサ側に登録されているか否かの判断を行う<S211>。そして、当該ＩＤコードがＭＣＵに登録されていると判断され、ＩＤ認証が成功した場合には、ステップS205でのセキュリティ解除要求に応答して、コンプレッサのセキュリティ解除を実行する<S213>。以後は、セキュリティを再設定するまでの間、従来のコンプレッサと同様に、自由に稼働させることが可能になる。
【００７３】
（コンプレッサのセキュリティを再設定する際の処理例）
図８は、コンプレッサの使用終了後において、ユーザがそのセキュリティ設定を再びＯＮ状態（施錠した状態）に戻す際の処理例を示すフローチャートである。この処理は、コンプレッサに対する要求が「セキュリティの再設定（施錠）」に変わっている点を除いて、図７に示すセキュリティ解除処理と同様であるので、詳細な説明は省略する。
【００７４】
（セキュリティキーを無効にする際の処理例）
本発明では、セキュリティキーを持ったユーザが退職したり、セキュリティキーそのものを紛失したときには、当該セキュリティキーを回収することなく、その機能をコンプレッサ側で簡単に無効化できる。以下、図９に基づいて、コンプレッサ側に登録されセキュリティキーの機能を無効化する際の処理例について説明する。
【００７５】
コンプレッサは、その電源ＯＮと同時に、セキュリティＯＮ状態（圧縮装置が駆動できないように施錠されセキュリティが有効な状態）でスタンバイしている<ステップS401,S403>。そして、コンプレッサのセキュリティ管理装置を、セキュリティキー無効処理モードにセットすると<S405>、それによって表１や表２に示すような管理コード（シリアルナンバーやユーザ名）が情報表示部に表示され<S407>、操作者に対して無効処理対象の管理コードの選択を求める。
【００７６】
続いて、操作者が無効処理対象の管理コードを選択すると<S409>、それに対応するＩＤコードがセキュリティ管理装置のＭＣＵから消去される<S411>。これによって、当該シールタグのＩＤコードがコンプレッサから抹消されて、以後は当該シールタグはこのコンプレッサに対するセキュリティキーとして機能しなくなる。
【００７７】
以上の処理を経てセキュリティキーの無効化処理が完了する。
【００７８】
なお、上述した実施形態では特に限定していないが、このようなセキュリティキーの無効処理を行える者を一定の者に限定することも可能である。例えば、ステップS405とS407の間に、セキュリティ認証のステップを介在させ、認証を通過した場合にのみ、セキュリティキーの登録解除を行えるようにしてもよい。そのような認証処理は、例えば、コンプレッサに同梱される所定識別情報が記録された管理者用無線ＩＣカード（コンプレッサの管理者専用のセキュリティカード）と、コンプレッサのセキュリティ管理装置との間で行うことができる。
【図１】
2014214425.tif 000006
【図２】
2014214425.tif 000007
【図３】
2014214425.tif 000008
【図４】
2014214425.tif 000009
【図５】
2014214425.tif 000010
【図６】
2014214425.tif 000011
【図７】
2014214425.tif 000012
【図８】
2014214425.tif 000013
【図９】
2014214425.tif 000014